(57)【特許請求の範囲】
【請求項１】
人間工学に基づく靴であって、
靴本底を含み、
前記靴本底は、着用者の足裏構造に対応するように、
内足弓部と、
外足弓部と、
外足弓部の後側に位置するかかと部と、
前記外足弓部の前側に位置し且つ第一、第二、第三、第四及び第五の足指に対応する足指部と、
前記外足弓部と前記足指部との間に位置し且つ内中足骨部と外中足骨部とを有する中足骨部と、を有し、
前記足指部は、前記第一足指に対応する内足指部と、前記第二、第三、第四及び第五足指に対応する外足指部と、を有し、
前記靴本底は、上面に、基準面、及び、前記基準面と高度落差を有し前記かかと部、前記外足弓部、前記中足骨部、前記内中足骨部、前記外中足骨部、前記足指部、前記内足指部及び前記外足指部のうち少なくとも一部位に位置する少なくとも一の接触部を有し、
前記靴本底の前記接触部は、前記靴本底の上面から内側に窪んだ上面窪み、又は前記靴本底の上面から外側へ突出した上面突出であり、
前記靴本底は、底面に、前記上面窪み又は前記上面突出に対応する、内側に窪んだ少なくとも一の底面窪みを有することを特徴とする靴。
【請求項２】
前記靴本底の前記接触部は、前記上面窪みであり、前記中足骨部、前記内中足骨部、前記外中足骨部、前記足指部、前記内足指部、前記外足指部及び前記かかと部のうちの少なくとも一部位に位置することを特徴とする請求項１記載の靴。
【請求項３】
前記靴本底の前記接触部は、前記上面突出であり、前記かかと部、前記内足弓部、前記外足弓部、前記中足骨部、前記内中足骨部、前記外中足骨部、前記足指部、前記内足指部及び前記外足指部のうちの少なくとも一部位に位置することを特徴とする請求項１記載の靴。
【請求項４】
前記靴本底の上面に設置される靴中底を更に含み、
前記靴中底は、上面に、基準面、及び、前記基準面と高度落差を有し前記靴本底の前記かかと部、前記内足弓部、前記外足弓部、前記中足骨部、前記内中足骨部、前記外中足骨部、前記足指部、前記内足指部及び前記外足指部に対応する少なくとも一部位に位置する少なくとも一の接触部を有することを特徴とする請求項１記載の靴。
【請求項５】
前記靴本底及び前記靴中底の前記接触部は、前記靴本底の上面及び前記靴中底の上面から内側に陥入した上面窪みであるか、又は、前記靴本底の上面及び前記靴中底の上面から外側に突出した上面突出であることを特徴とする請求項４記載の靴。
【請求項６】
前記靴本底の前記接触部は、前記靴本底の上面窪みであり、前記靴本底の前記中足骨部、前記内中足骨部、前記外中足骨部、前記足指部、前記内足指部及び前記外足指部のうちの少なくとも一部位に位置し、
前記靴中底の前記接触部は、前記靴中底の上面窪みであり、前記靴本底の前記中足骨部、前記内中足骨部、前記外中足骨部、前記足指部、前記内足指部及び前記外足指部に対応する少なくとも一部位に位置することを特徴とする請求項５記載の靴。
【請求項７】
前記靴本底の前記接触部は、前記上面突出であり、前記かかと部又は前記外足弓部に位置し、
前記靴中底の前記接触部は、前記上面突出であり、前記靴本底の前記かかと部又は前記外足弓部に対応して位置することを特徴とする請求項５記載の靴。
【請求項８】
前記靴中底の上面に設置される中敷きを更に含み、
前記中敷きは、前記靴本底の前記かかと部、前記外足弓部、前記中足骨部、前記内中足骨部、前記外中足骨部、前記足指部、前記内足指部及び前記外足指部に対応する少なくとも一部位に位置する少なくとも一の中空隆起部又は少なくとも一の中空窪み部を有し、
前記中空隆起部は、前記中敷きの上面に一体的に隆起して形成された外突表面と、前記外突表面に対応し且つ前記中敷きの底面に一体的に窪んで形成する内窪み表面と、を有し、
前記中空窪み部は、前記中敷きの上面に一体的に窪んで形成される内窪み表面と、前記内窪み表面に対応し且つ前記中敷きの底面に一体的に隆起して形成される外突表面と、を有することを特徴とする請求項４記載の靴。
【請求項９】
前記靴本底の前記接触部は、前記靴本底の上面から内側に陥入した上面窪みであり、前記靴本底の前記中足骨部、前記内中足骨部、前記外中足骨部、前記足指部、前記内足指部及び前記外足指部のうちの少なくとも一部位に位置し、
前記靴中底の前記接触部は、前記靴中底の上面から内側に陥入した上面窪みであり、前記靴本底の前記中足骨部、前記内中足骨部、前記外中足骨部、前記足指部、前記内足指部及び前記外足指部に対応する少なくとも一部位に位置し、
前記中敷きは、前記中空窪み部を有し、前記靴本底の前記中足骨部、前記内中足骨部、前記外中足骨部、前記足指部、前記内足指部及び前記外足指部に対応する少なくとも一部位に位置することを特徴とする請求項８記載の靴。
【請求項１０】
前記靴本底の前記接触部は、前記靴本底の上面から外側へ突出した上面突出であり、前記靴本底の前記かかと部又は前記外足弓部に位置し、
前記靴中底の前記接触部は、前記靴中底の上面から外側へ突出した上面突出であり、前記靴本底の前記かかと部又は前記外足弓部に対応する部位に位置し、
前記中敷きは、前記中空隆起部を有し、前記靴本底の前記かかと部又は前記外足弓部に位置することを特徴とする請求項８記載の靴。
【請求項１１】
前記中敷きの中空隆起部の外突表面は、補強窪みを有し、前記中空窪み部の内窪み表面に補強突出を有することを特徴とする請求項８記載の靴。
【請求項１２】
前記靴本底の上面に設置される中敷きを更に有し、
前記中敷きは、前記靴本底の前記かかと部、前記外足弓部、前記中足骨部、前記内中足骨部、前記外中足骨部、前記足指部、前記内足指部及び前記外足指部に対応する少なくとも一部位に位置する少なくとも一の中空隆起部又は少なくとも一の中空窪み部を有し、
前記中空隆起部は、前記中敷きの上面に一体的に隆起して形成される外突表面と、前記外突表面に対応し且つ前記中敷きの底面に一体的に窪んで形成される内窪み表面と、を有し、
前記中空窪み部は、前記中敷きの上面に一体的に窪んで形成される内窪み表面と、前記内窪み表面に対応し且つ前記中敷きの底面に一体的に隆起して形成される外突表面と、を有し、
前記中敷きの前記中空隆起部と前記中空窪み部との配置は、前記靴本底の前記接触部の形態に合っていることを特徴とする請求項１記載の靴。
【請求項１３】
前記靴本底の前記接触部は、前記靴本底の上面から内側に陥入した上面窪みであり、前記靴本底の前記中足骨部、前記内中足骨部、前記外中足骨部、前記足指部、前記内足指部及び前記外足指部のうち少なくとも一部位に位置し、
前記中敷きは、前記中空窪み部を有し、前記靴本底の前記中足骨部、前記内中足骨部、前記外中足骨部、前記足指部、前記内足指部及び前記外足指部に対応する少なくとも一部位に位置することを特徴とする請求項１２記載の靴。
【請求項１４】
前記靴本底の前記接触部は、前記靴本底の上面から外側に突出した上面突出であり、前記かかと部及び／又は前記外足弓部に位置し、
前記中敷きは、前記中空隆起部を有し、前記かかと部又は前記外足弓部に位置することを特徴とする請求項１２記載の靴。
【請求項１５】
前記中敷きの前記中空隆起部の前記外突表面は、補強窪みを有し、
前記中敷きの前記中空窪み部の前記内窪み表面は、補強突出を有することを特徴とする請求項１２記載の靴。
【請求項１６】
前記靴本底の前記内足弓部は、前記靴本底の上面から外側に突出した突起を有することを特徴とする請求項１記載の靴。
【請求項１７】
前記靴本底の上面に設置される薄層を更に有することを特徴とする請求項１記載の靴。
【請求項１８】
前記靴本底は、上面に、少なくとも一の上面溝部を有することを特徴とする請求項１記載の靴。
【請求項１９】
前記靴本底の上面の少なくとも一の上面溝部は、前記靴本底の少なくとも一の接触部に隣接することを特徴とする請求項１８記載の靴。
【請求項２０】
前記靴本底の上面溝部は、
前記足指部に隣接する前周縁から前記内足指部と前記外足指部との間に対応する位置に沿って前記かかと部へ縦向きに延伸する形態、
前記外足指部に隣接する端縁から前記足指部と前記中足骨部との間に沿って横向きに前記内足指部に隣接する端縁に延伸する形態、
前記外中足骨部に隣接する端縁から前記中足骨部と前記外足弓部との間に沿って横向きに前記内中足骨部に隣接する端縁に延伸する形態、
前記かかと部に隣接する端縁から前記かかと部に沿って横向きに前記かかと部のもう一端に隣接する端縁に延伸する形態、
のうち少なくとも一形態を有することを特徴とする請求項１９記載の靴。
【請求項２１】
前記靴本底は、底面に、前記上面溝部に対応する少なくとも一の底面溝部を有することを特徴とする請求項２０記載の靴。
【請求項２２】
人間工学に基づく靴であって、
靴本底を含み、
前記靴本底は、着用者の足裏構造に対応するように、
外足弓部と、
前記外足弓部の後側に位置するかかと部と、
前記外足弓部の前側に位置し且つ第一、第二、第三、第四及び第五足指に対応する足指部と、
前記外足弓部と前記足指部との間に位置する中足骨部と、を有し、
前記足指部は、前記第一足指に対応する内足指部と、前記第二、第三、第四及び第五足指に対応する外足指部と、を有し、
前記中足骨部は、内中足骨部と外中足骨部とを有し、
前記靴本底の上面は、少なくとも一の上面溝部を有し、
前記靴本底の上面の少なくとも一の上面溝部は、
前記足指部に隣接する前周縁から前記内足指部と前記外足指部との間に対応する位置に沿って前記かかと部へ縦向きに延伸する形態、
前記外足指部に隣接する端縁から前記足指部と前記中足骨部との間に沿って横向きに前記内足指部に隣接する端縁に延伸する形態、
前記外中足骨部に隣接する端縁から前記中足骨部と前記外足弓部との間に沿って横向きに前記内中足骨部に隣接する端縁に延伸する形態、
前記かかと部に隣接する端縁から前記かかと部に沿って横向きに前記かかと部のもう一端に隣接する端縁へ延伸する形態、
のうち少なくとも一の形態を有し、
前記靴本底の底面は、前記上面溝部に対応する少なくとも一の底面溝部を有することを特徴とする靴。
【請求項２３】
前記靴本底の底面溝部は、
第一及び第二底面溝部を同時に有し、前記第一底面溝部が前記外足指部に隣接する端縁から前記足指部と前記中足骨部との間に沿って横向きに前記外足指部に隣接する部位に延伸し、前記第二底面溝部が前記第一底面溝部に対応し且つ前記内足指部に隣接する端縁から前記足指部と前記中足骨部との間に沿って横向きに前記内足指部に隣接する部位に延伸する形態、
第三及び第四底面溝部を同時に有し、前記第三底面溝部が前記外中足骨部に隣接する端縁から前記中足骨部と前記外足弓部との間に沿って横向きに前記外中足骨部に隣接する部位に延伸し、前記第四底面溝部が前記第三底面溝部に対応し且つ前記中足骨部に隣接する端縁から前記中足骨部と前記外足弓部との間に沿って横向きに前記内中足骨部に隣接する部位に延伸する形態、
のうち少なくとも一の形態を有することを特徴とする請求項２２記載の人間工学に基づく靴。
【請求項２４】
人間工学に基づく靴であって、
靴本底を含み、
前記靴本底は、着用者の足裏構造に対応するように、内足弓部を有し、
前記内足弓部は、前記靴本底の上面から外側に突出した突起を有し、
前記靴本底の上面には、内側に窪んだ上面窪み、又は前記靴本底の上面から外側へ突出した上面突出を有し、
前記靴本底は、底面に、前記上面窪み又は前記上面突出に対応する、内側に窪んだ少なくとも一の底面窪みを有することを特徴とする人間工学に基づく靴。
【請求項２５】
人間工学に基づく靴であって、
靴本底を含み、
前記靴本底は、着用者の足裏構造に対応するように、
内足弓部と、
外足弓部と、
前記外足弓部の後側に位置するかかと部と、
前記外足弓部の前側に位置し且つ第一、第二、第三、第四及び第五足指に対応する足指部と、
前記外足弓部と前記足指部との間に位置し且つ内中足骨部と外中足骨部とを有する中足骨部と、を有し、
前記足指部は、前記第一足指に対応する内足指部と、前記第二、第三、第四及び第五足指に対応する外足指部と、を有し、
前記靴本底は、上面に基準面、及び、前記基準面と高度落差を有し、前記かかと部、前記外足弓部、前記中足骨部、前記内中足骨部、前記外中足骨部、前記足指部、前記内足指部及び前記外足指部のうち少なくとも一部位に位置する少なくとも一の接触部を有し、
前記内足弓部は、前記靴本底の上面から外側へ突出した突起を有し、
前記靴本底の前記接触部は、前記靴本底の上面から内側に窪んだ上面窪み、又は前記靴本底の上面から外側へ突出した上面突出であり、
前記靴本底は、底面に、前記上面窪み又は前記上面突出に対応する、内側に窪んだ少なくとも一の底面窪みを有することを特徴とする靴。
【請求項２６】
人間工学に基づく靴であって、
靴本底と、前記靴本底上方に設けられるクッション体と、を含み、
前記靴本底は、着用者の足裏構造に対応するように、
内足弓部と、
外足弓部と、
前記外足弓部の後側に位置するかかと部と、
前記外足弓部の前側に位置し且つ第一、第二、第三、第四及び第五足指に対応する足指部と、
前記外足弓部と前記足指部との間に位置し且つ内中足骨部と外中足骨部とを有する中足骨部と、を有し、
前記足指部は、前記第一足指に対応する内足指部と、前記第二、第三、第四及び第五足指に対応する外足指部と、を有し、
前記クッション体は、上面に基準面、及び、前記基準面と高度落差を有し、前記かかと部、前記内足弓部、前記外足弓部、前記中足骨部、前記内中足骨部、前記外中足骨部、前記足指部、前記内足指部及び前記外足指部のうち少なくとも一部位に位置する少なくとも一の接触部を有し、
前記クッション体の前記接触部は、前記クッション体の上面から内側に陥入した上面窪みであるか、又は前記クッション体の上面から外側に突出した上面突出であり、
前記クッション体は、底面に、前記上面窪み又は前記上面突出に対応する少なくとも一の内側に陥入した底面窪みを有することを特徴とする靴。
【請求項２７】
前記クッション体の前記接触部は、前記上面窪みであり、
前記靴本底の前記外足弓部、前記中足骨部、前記内中足骨部、前記外中足骨部、前記足指部、前記内足指部、前記外足指部及び前記かかと部のうち少なくとも一部位に対応することを特徴とする請求項２６記載の靴。
【請求項２８】
前記クッション体の前記接触部は、前記上面突出であり、
前記靴本底の前記かかと部、前記内足弓部、前記外足弓部、前記中足骨部、前記内中足骨部、前記外中足骨部、前記足指部、前記内足指部、前記外足指部のうち少なくとも一部位に対応することを特徴とする請求項２６記載の靴。
【請求項２９】
人間工学に基づく靴であって、
靴本底と、前記靴本底上方に設けられるクッション体と、を含み、
前記靴本底は、着用者の足裏構造に対応するように、
内足弓部と、
外足弓部と、
前記外足弓部の後側に位置するかかと部と、
前記外足弓部の前側に位置し且つ第一、第二、第三、第四及び第五足指に対応する足指部と、
前記外足弓部と前記足指部との間に位置し且つ内中足骨部と外中足骨部とを有する中足骨部と、を有し、
前記足指部は、前記第一足指に対応する内足指部と、前記第二、第三、第四及び第五足指に対応する外足指部と、を有し、
前記クッション体は、上面に基準面、及び、前記基準面と高度落差を有し、前記かかと部、前記内足弓部、前記外足弓部、前記中足骨部、前記内中足骨部、前記外中足骨部、前記足指部、前記内足指部及び前記外足指部のうち少なくとも一部位に位置する少なくとも一の接触部を有し、
前記クッション体は、靴中底又は中敷き又は薄層であり、
前記クッション体の前記接触部は、前記クッション体の上面から内側に陥入した上面窪みであるか、又は前記クッション体の上面から外側に突出した上面突出であり、
前記クッション体は、底面に、前記上面窪み又は前記上面突出に対応する少なくとも一の内側に陥入した底面窪みを有することを特徴とする靴。
【請求項３０】
前記クッション体の前記接触部は、前記上面窪みであり、
前記靴本底の前記外足弓部、前記中足骨部、前記内中足骨部、前記外中足骨部、前記足指部、前記内足指部、前記外足指部及び前記かかと部のうち少なくとも一部位に対応することを特徴とする請求項２９記載の靴。
【請求項３１】
前記クッション体の前記接触部は、前記上面突出であり、
前記靴本底の前記かかと部、前記内足弓部、前記外足弓部、前記中足骨部、前記内中足骨部、前記が中足骨部、前記足指部、前記内足指部、前記外足指部のうち少なくとも一部位に対応することを特徴とする請求項２９記載の靴。
【請求項３２】
前記靴本底の少なくとも一の前記接触部は、環状式接触部、又は外部に連通する開放式接触部であることを特徴とする請求項１記載の靴。
【請求項３３】
前記靴本底又は前記中敷きの少なくとも一の前記接触部は、環状式接触部、又は外部に連通する開放式接触部であることを特徴とする請求項２６記載の靴。
【請求項３４】
前記中敷きの少なくとも一の前記接触部は、環状式接触部、又は外部に連通する開放式接触部であることを特徴とする請求項２９記載の靴。
【発明の詳細な説明】
【技術分野】
【０００１】
本発明は、靴に関し、特に、靴の着用者の歩行動作がよりスムーズに行える、人間工学に基づいた靴に関する。
【背景技術】
【０００２】
人の歩行動作は、股関節を軸とし、脚を半径とし、同時に足の湾曲、上げ下げの弧形運動を組み合わせる。人の足裏で地面を踏むとき、足裏にかかる負荷部位も踏む動作に合わせて変化する。従って、人が歩行する際に足裏が地面を踏む安定性は、直接弧形運動のスムーズ度に影響する。
【先行技術文献】
【特許文献】
【０００３】
【特許文献１】特開２００１−２６９２０１号公報
【特許文献２】特開２００２−０３４６０５号公報
【発明の概要】
【発明が解決しようとする課題】
【０００４】
通常、靴製造業者は、いずれも非常に可撓性に富んだ材料により靴の本底を作製するか又は靴の本底に複数の間隔があいた配列、且つ横向きに両側に貫通する凹溝を設けることにより、靴の本底の伸縮性を向上させ、靴の湾曲度を増加させて、人の歩行の際の足裏の踏む動作に符合させ、着用者の歩行のスムーズ度を向上させる。
しかしながら、凹溝は靴の本底の底面に任意に分布しているために、着用者の足裏で踏むときの負荷箇所が凹溝に存在するとは限らず、従来の靴では着用者のスムーズな歩行を有効に向上させることができなかった。
【０００５】
本発明の主な目的は、人間工学に基づき、足裏が靴の本底に対して滑動せず、足裏が踏む時の安定性を向上させ、更に、着用者がスムーズに歩行動作を行える靴を提供することである。
本発明の別の目的は、着用者がよりスムーズに歩行動作を行えるように、靴の本底の湾曲度を向上させた靴を提供することである。
本発明の更に別の目的は、足裏が地面を踏むときの安定性を向上させるように、着用者の足裏の内足弓部を支持する靴を提供することである。
【課題を解決するための手段】
【０００６】
前記目的を達成するために、本発明が提供する人間工学に基づく靴は、主に、靴本底を含み、前記靴本底は、着用者の足裏構造に対応するように、内足弓部、外足弓部、外足弓部の後側に位置するかかと部、外足弓部前側に位置し、且つ第一、第二、第三、第四及び第五の足指に対応する足指部、及び外足弓部と足指部との間に位置する中足骨部を有する。前記足指部は内足指部と外足指部からなり、前記中足骨部は内中足骨部と外中足骨部からなる。前記靴は、前記靴本底の上面に、基準面、及び、前記基準面と高度落差を有する少なくとも一の接触部を有することを特徴とする。前記接触部は、前記かかと部、前記外足弓部、前記中足骨部、前記内中足骨部、前記外中足骨部、前記足指部、前記内足指部及び前記外足指部のうちの少なくとも一部位に位置する。
本発明の靴は、靴本底の上面に、前記基準面と高度落差を有する前記接触部を有するので、着用者が歩行の際に、足裏が靴本底に対して滑動せず、足裏の踏む付けの際の安定性が向上し、着用者の歩行動作が更にスムーズになる。
【０００７】
本発明が提供する人間工学に基づく靴において、前記靴本底の接触部は、前記靴本底の上面から内側に窪んだ上面窪みであるか、又は前記靴本底の上面から外側に突出した上面突出であってもよい。 
【０００８】
本発明の実施例に基づいて提供する人間工学に基づく靴は、前記靴本底の底面に少なくとも一の内側に窪んだ底面窪みを有し、前記上面窪み又は前記上面突出に対応する。これにより、本発明の靴は緩衝機能を更に備える。
【０００９】
この他、前記靴本底の接触部が上面窪みである場合、前記接触部は、前記中足骨部、前記内中足骨部、前記外中足骨部、前記足指部、前記内足指部、前記外足指部及び前記外足弓部、前記かかと部のうち少なくとも一部位に位置することが好ましい。
前記靴本底の接触部が上面突出である場合、前記接触部は、前記かかと部、前記内足弓部、前記外足弓部、前記中足骨部、前記内中足骨部、前記外中足骨部、前記足指部、前記内足指部及び前記外足指部のうち少なくとも一部位に位置することが好ましい。
【００１０】
本発明の人間工学に基づく靴は、前記靴本底上面に設置されるクッション体を更に含み、前記クッション体は、靴中底、中敷き又はその他の薄層を含み、又は前記靴本底上面に設置される靴中底及び前記靴中底上面に設置される中敷きを含んでもよい。ただし、これに制限されない。
前記靴中底は、上面に、基準面、及び、前記基準面と高度落差を有する少なくとも一の接触部を有し、前記接触部は、前記靴本底の前記かかと部、前記内足弓部、前記外足弓部、前記中足骨部、前記内中足骨部、前記外中足骨部、前記足指部、前記内足指部及び前記外足指部中に対応する少なくとも一部位に位置する。且つ、前記靴中底の接触部の形態は前記靴本底の接触部の形態に合わせることが好ましい。
本発明の実施例において、前記靴中底の接触部は、前記靴中底の上面から内側に窪んだ上面窪み部であるか、前記靴中底の上面から外側に突出した上面突出であってもよい。
【００１１】
前記中敷きは、上面に、前記靴本底のかかと部、内足弓部、外足弓部、中足骨部、内中足骨部、外中足骨部、足指部、内足指部及び外足指部の対応する少なくとも一部位に位置する少なくとも一の中空の窪み部又は少なくとも一の中空隆起部を有する。
前記中空窪み部は、前記中敷き上面と一体的に窪んで形成された内窪み表面及び前記内窪み表面に対応し且つ前記中敷き底面と一体的に隆起して形成された外突表面を有する。前記中空隆起部は、前記中敷き上面と一体的に隆起して形成された外突表面及び前記外突表面に対応し且つ前記中敷き底面と一体的に窪んで形成された内窪み表面を有する。前記中敷きの前記中空窪み部と前記中空隆起部との配置は前記靴本底の接触部の形態に合っていることが好ましい。
【００１２】
例えば、前記靴本底の接触部が前記靴本底の上面窪みである場合、前記靴中底の接触部は前記靴中底の上面窪みであり、前記中敷きが前記中空窪み部を有する。
前記靴本底の接触部が前記靴本底の上面突出である場合、前記靴中底の接触部は前記靴中底の上面突出であり、前記中敷きは前記中空隆起部を有する。
【００１３】
この他、前記中敷きの中空隆起部の外突表面は、補強窪みを更に有してもよく、又前記中空窪み部の内窪み表面は、補強突出を更に有してもよい。これにより、前記中空隆起部と前記中空窪み部が長期間受ける力による変形を防止する。
【発明の効果】
【００１４】
本発明の実施例が提供する人間工学に基づく靴において、前記靴本底の上面は、前記少なくとも一の接触部に隣接する少なくとも一の上面溝部を更に有してもよい。
前記上面溝部は、（１）前記足指部に隣接する前周縁から前記内足指部と前記外足指部との間に対応する位置に沿って、前記かかと部へ縦向きに延伸するか、又は、（２）前記外足指部に隣接する端縁から前記足指部と前記中足骨部との間に沿って横向きに前記内足指部に隣接する端縁まで延伸するか、又は、（３）前記外中足骨部に隣接する端縁から前記中足骨部と前記外足弓部との間に沿って横向きに前記内中足骨部に隣接する端縁に延伸するか、又は、（４）前記かかと部に隣接する端縁から前記かかと部に沿って横向きにかかと部に隣接する別の端縁へ延伸する。且つ、前記靴本底の底面に、少なくとも一の前記上面溝部に対応する底面溝部を有することにより、靴本底の湾曲度が向上し、着用者の歩行動作がよりスムーズに行える。
【００１５】
本発明の実施例が提供する人間工学に基づく靴において、前記靴本底は、前記靴本底の上面から外側に突出する突起を更に有し、前記内足弓部に位置することにより、着用者の足裏の内足弓を支持して、着用者の足裏で更に安定して地面を踏みつけることができ、着用者の歩行動作がよりスムーズに行える。
【図面の簡単な説明】
【００１６】
【図１】本発明の第一実施例による人間工学に基づく靴を示す一部断面図である。
【図２】前記第一実施例の靴本底の一種の態様を示す斜視図である。
【図３】前記第一実施例の靴本底の別の態様を示す斜視図である。
【図４】前記第一実施例の靴本底の更に別の態様を示す断面図である。
【図５】前記第一実施例の靴本底の更に別の態様を示す断面図である。
【図６Ａ】前記第一実施例の靴本底の更に別の態様を示す側面図である。
【図６Ｂ】前記第一実施例における靴本底の更に別の態様を示す側面及び一部断面図である。
【図６Ｃ】前記第一実施例の靴本底の更に別の態様を示す側面図である。
【図７Ａ】前記第一実施例の靴本底の更に別の態様を示す斜視図である。
【図７Ｂ】前記第一実施例の靴本底の更に別の態様を示す斜視図である。
【図８】図６の靴本底が力を受けたときの靴本底の上面、底面の溝部の態様を示す図である。
【図９】本発明の第二実施例の靴本底を示す斜視図である。
【図１０】前記第二実施例の靴本底の底面溝部の態様を示す斜視図である。
【図１１】本発明の第三実施例の靴本底と靴中底を示す断面図である。
【図１２】本発明の前記第三実施例の靴中底の態様を示す斜視図である。
【図１３】前記第三実施例の靴中底の別の態様を示す斜視図である。
【図１４Ａ】前記第三実施例の靴中底の更に別の態様を示す側面図である。
【図１４Ｂ】前記第三実施例の靴中底の更に別の態様を示す側面図である。
【図１４Ｃ】前記第三実施例の靴中底の更に別の態様を示す側面図である。
【図１５】本発明の第四実施例の靴本底と中敷きを示す断面図である。
【図１６】前記第四実施例の中敷きの態様を示す斜視図である。
【図１７】前記第四実施例の中敷きの別の態様を示す斜視図である。
【図１８Ａ】前記第四実施例の中敷きの更に別な態様を示す側面図である。
【図１８Ｂ】前記第四実施例の中敷きの更に別な態様を示す側面図である。
【図１８Ｃ】前記第四実施例の中敷きが補強窪み／突出を有する態様を示す側面図である。
【図１９】本発明の第五実施例の靴本底、靴中底及び中敷きを示す断面図である。
【図２０Ａ】本発明の第六実施例の靴本底を示す斜視図である。
【図２０Ｂ】本発明の第六実施例の靴本底の別の態様を示す斜視図である。
【図２１】着用者の足裏が前記第六実施例の靴本底と薄層を踏む態様を示す概略図である。
【図２２】本発明の第七実施例の靴の本底、靴中底及び中敷きを示す断面図である。
【図２３】本発明の靴本底の別の態様である。
【図２４】本発明の靴本底の更に別の態様である。
【図２５】本発明の靴本底の更に別の態様である。
【図２６】本発明の靴本底又はクッション体の別の態様である。
【発明を実施するための形態】
【００１７】
以下、本発明が提供する人間工学に基づく靴の詳細な構造及びその特徴について、実施例を挙げて、本発明の分野において通常の知識を有する者が本発明の実施例の範囲内において容易に実施できるように、図面を参照しつつ説明する。
【００１８】
以下において、実施例に採用された図面の内容を合わせて本発明を説明する。
なお、以下で紹介する実施例において、同一の符号番号は同一又は類似の構造を示す。
【実施例】
【００１９】
（第一実施例）
先ず、図1を参照すると、本発明の第一実施例による人間工学に基づく靴１は、主に靴本底１０を含む。
【００２０】
靴本底１０は、発泡ウレタン（ＰＵ）材質からなり且つ弾力的な回復力を有する。実際の製造に応じて、靴本底１０の材質は前記の物に制限されない。例えば、エマルジョンや熱可塑性ゴム(thermoplastic rubber、ＴＰＲ）等のような靴本底を製造できる如何なる材質であってもよい。
図２に示すように、靴本底１０は、人の足の裏が地面を踏むときに応じた負荷部位により、内足弓部１９と、外足弓部１１と、外足弓部１１の後側に位置するかかと部１２と、外足弓部１１前側に位置し且つ第一足指に対応する内足指部１３と、外足弓部１１の前側に位置し且つ第二から第四足指に対応する外足指部１４と、内足指部１３及び外足指部１４からなる足指部１５と、外足弓部１１と足指部１５の間の中足骨部１６と、中足骨部１６を構成する内中足骨部１７及び外中足骨部１８とに区分される。
【００２１】
この他、図１と図２に示すように、靴本底１０の上面１０１に、基準面Ｄ及び、基準面Ｄと高度落差を有する複数の接触部１０２を有する。図１において、接触部１０２は靴本底１０の上面１０１から内側に陥入する上面窪み１０２ａであり、且つ外足弓部１１、かかと部１２、足指部１５及び中足骨部１６にそれぞれ位置する。これにより、着用者の足裏で踏みつけ歩行する時に、足裏の負荷部位は前述の靴本底１０のこれら窪み１０２ａ内に陥入して、足裏の踏み付け時の安定性を向上させ、着用者がスムーズに歩行でき、快適度が向上する。
【００２２】
実際の製造時に、靴本底１０の上面窪み１０２ａは、靴本底１０の外足弓部１１、かかと部１２、足指部１５及び中足骨部１６のみに形成できるとは限らず、図３に示すように、靴本底１０の外足弓部１１、かかと部１２、内足指部１３、外足指部１４、内中足骨部１７及び外中足骨部１８にも形成できる。又は、靴本底１０の上面窪み１０２ａは必要に応じて前述の各部位のうちの一つだけに形成してもよい。
又は、図４と図５に示すように、靴本底１０の底面１０３に複数の内向きに窪んだ底面窪み１０４を形成し、各底面窪み１０４の設置位置は、各上面窪み１０２ａに対応する。このようにすることで、本発明の靴は緩衝機能を備えることができる。
【００２３】
又は、図６Ａに示すように、靴本底上面１０１の接触部１０２は、靴本底１０の上面１０１から外側に突出した上面突出１０２ｂであってもよく、外足弓部１１、かかと部１２、内足指部１３、外足指部１４、足指部１５、中足骨部１６、内中足骨部１７及び外中足骨部１８にそれぞれ位置することができる。
【００２４】
実際において、図６Ｂ及び図６Ｃに示すように、靴本底１０の接触部１０２が上面窪み１０２ａである場合、中足骨部１６、内中足骨部１７、外中足骨部１８、足指部１５、内足指部１３及び外足指部１４に位置することが好ましい。靴本底１０の接触部１０２が上面突出１０２ｂである場合、かかと部１２及び外足弓部１１に位置することが好ましい。
図６Ｃに示すように、靴本底１０の底面１０３は底面窪み１０４を有してもよく、上面突出１０２ｂに対応し、これにより図６Ｃに示す靴本底１０の靴は緩衝機能を備えることになる。
【００２５】
又は、図７Ａ及び図７Ｂに示すように、靴本底１０は、大体において図３に示す靴本底１０と類似しており、その差異は靴本底１０の上面１０１に、複数の上面溝部１０５ａ〜１０５ｄを有し、これらの接触部１０２（上面窪み１０２ａ）に隣接し、そして靴本底１０の底面１０３は、上面溝部１０５ａ及び１０５ｂに対応する二つの底面溝部１０６を有する。そのうち、上面溝部１０５ａ〜１０５ｂと底面溝部１０６はそれぞれ、外足指部１４に隣接する端縁から足指部１５と中足骨部１６との間に沿って横向きに内足指部１３に隣接する端縁に延伸し、又、外中足骨部１８に隣接する端縁から中足骨部１６と外足弓部１１との間に沿って横向きに内中足骨部１７に隣接する端縁に延伸する。そして、上面溝部１０５ｃ及び１０５ｃ’は、それぞれ足指部１５に隣接する前周縁から内、外足指部１３、１４との間に対応する位置に沿ってかかと部１２へ縦向きに延伸し、又、上面溝部１０５ｂから外足弓部１１に沿ってかかと部１２へ縦向きに延伸し、上面溝部１０５ｄは、かかと部１２に隣接する一端からかかと部１２に沿って横向きにかかと部１２に隣接する別の一端に延伸する。
【００２６】
これにより、図８に示すように、着用者の足裏が靴本底１０に負荷Ｆをかける時、靴本底１０は力を受けていない状態から力を受けた靴本底１０’に変化し、底面溝部１０６は広がった底面溝部１０６’に変形する。そして、上面溝部１０５ａは、押圧を受けた上面溝部１０５ａ’に変形する。このように靴本底１０の湾曲度は向上し、着用者の歩行時のスムーズ度と快適度が更に向上する。
実際の製造において、靴本底１０の上面１０１は必要に応じて、前述の上面溝部１０５ａ〜１０５ｄのうち少なくとも一つを設けることもできる。
【００２７】
（第二実施例）
次に、図９を参照すると、図７の靴本底１０の創作の本質に基づき、本発明の第２実施例の靴１は、靴本底２０を含み、その上面２０１に二つの上面溝部２０３のみを有し、その底面２０５に上面溝部２０３に対応する二つの底面溝部２０７を有する。又、前述の上面溝部２０３、底面溝部２０７の態様は前述したものと同様であるので、ここでは詳細を述べない。
このように、着用者の足裏が本発明の第二実施例の靴本底２０に負荷をかける場合、底面溝部２０７は上面溝部２０３と同様に変形して、靴本底２０の湾曲度を向上させ、着用者は更にスムーズに、又快適に歩行できる。
【００２８】
実際の製造において、靴本底２０の底面溝部の形態は、図１０に示されるように、つまり、靴本底２０の底面に第一底面溝部２０７ａ、第二底面溝部２０７ｂ、第三底面溝部２０７ｃ及び第四底面溝部２０７ｄを有してもよい。そのうち、第一底面溝部２０７ａは、外足指部１４に隣接する端縁から足指部１５と中足骨部１６との間に沿って横向きに外足指部１４に隣接する部位まで延伸する。第二底面溝部２０７ｂは、第一底面溝部２０７ａに対応し且つ内足指部１３に隣接する端縁から足指部１５と中足骨部１６との間に沿って横向きに内足指部１３に隣接する部位まで延伸する。第三底面溝部２０７ｃは、外中足骨部１８に隣接する端縁から中足骨部１６と外足弓部１１との間に沿って横向きに外中足骨部１８に隣接する部位まで延伸する。又、第四底面溝部２０７ｄは、第三底面溝部２０７ｃに対応して且つ内中足骨部１７に隣接する端縁から中足骨部１６と外足弓部１１との間に沿って横向きに内中足骨１７に隣接する部位まで延伸する。このように、前述の靴本底２０の湾曲度を向上させる目的が達成できる。
【００２９】
（第三実施例）
更に、図１１を参照すると、本発明の第三実施例の靴１は、靴本底１０及びクッション体（本実施例においては靴中底３０である）を含む。靴本底１０の形態は前述の実施例にいずれも同一であるので、ここでは詳細に述べない。
【００３０】
靴中底３０は、靴本底１０の上面１０１に設置され、図１２に示すように、靴中底３０の上面３０１に基準面Ｄと、基準面Ｄと高度落差を有する複数の接触部３０２とを有する。図１２において、接触部３０２は、靴中底３０の上面３０１から内側に窪んだ上面窪み３０２ａであり、靴本底１０に対応する外足弓部１１、かかと部１２、足指部１５及び中足骨部１６にそれぞれ位置する。
【００３１】
又、図１１に示すように、各上面窪み３０２ａは、靴本底１０の各上面窪み１０２ａに対応する。これにより、着用者の足裏で踏みつけ歩行する場合、足裏の負荷部位は前述の靴中底３０のこれら上面窪み３０２ａ内に陥入し、足裏が靴中底３０に対して滑動するのを防止し、足裏踏み付け時の安定性を向上させ、着用者がよりスムーズに且つ快適に歩行できる。
【００３２】
第一実施例で述べたように、実際の製造において、靴中底３０の上面窪み３０２ａは靴中底３０が対応する靴本底１０の外足弓部１１、かかと部１２、足指部１５及び中足骨部１６などの領域だけに形成されるとは限らず、図１３に示すように、靴本底１０に対応する外足弓部１１、かかと部１２、内足指部１３、外足指部１４、内中足骨部１７及び外中足骨部１８などの領域にも形成できる。又は、靴中底３０の上面窪み３０２ａは必要に応じて各領域のうちの一つだけに形成できる。
【００３３】
又は、図１４Ａに示すように、靴中底の上面３０１の接触部３０２は靴中底３０の上面３０１から外側に突出した上面突出３０２ｂであってもよく、且つ靴本底１０に対応する外足弓部１１、かかと部１２、内足指部１３、外足指部１４、足指部１５、中足骨部１６、内中足骨部１７及び外中足骨部１８などの領域にそれぞれ位置することもできる。
【００３４】
実際、図１４Ｂに示すように、靴中底３０の接触部３０２が上面窪み３０２ａである場合、靴本底１０に対応する中足骨部１６、内中足骨部１７、外中足骨部１８、足指部１５、内足指部１３及び外足指部１４等の領域に位置することが好ましい。靴中底３０の接触部３０２が上面突出３０２ｂである場合、靴本底１０に対応するかかと部１２及び外足弓部１１などの領域に位置することが好ましい。
【００３５】
又は、図１４Ｃに示すように、靴中底３０の上面突出３０２ｂ’は中空態様をなすこともでき、靴中底３０の上面３０１と一体的に隆起して形成される外突表面３０３ａ及び外突表面３０３ａに対応し且つ靴中底底面３０４に一体的に窪んで形成される内窪み表面３０３ｂを有する。ここで、靴中底３０は靴本底１０の上面１０１に設けられる場合、靴中底３０の接触部３０２の形態は靴本底１０の接触部１０２の形態と相互に一致するか、又は相互に対称である。
【００３６】
（第四実施例）
次に、図１５を参照すると、本発明の第四実施例の靴１は、靴本底１０及びクッション体（本実施例においては中敷き４０である）を含む。ここでは靴本底１０の形態について詳細に述べない。
【００３７】
中敷き４０は、靴本底１０の上面１０１に設けられる。図１５及び図１６に示すように、中敷き４０は複数の中空窪み部４０２を有し、それぞれ靴本底１０に対応する外足弓部１１、かかと部１２、足指部１５及び中足骨部１６に位置し、又靴本底１０の上面窪み１０２ａにそれぞれ対応する。
図１５において、中空窪み部４０２は、中敷き４０１に一体的に窪んで形成される内窪み表面４０２ａ、及び、内窪み表面４０２ａに対応し且つ中敷き底面４０３に一体的に隆起して形成される外突表面４０２ｂを有する。これにより着用者の足裏が踏みつけ歩行する場合、足裏の負荷部位は前述の中敷き４０のこれら中空窪み部４０２内に陥入し、中敷き４０に対して足裏が滑動することを防止し、足裏が踏みつける時の安定性を向上させ、更に着用者がよりスムーズに且つ快適に歩行できる。
【００３８】
当然、第三実施例で述べたように、実際の製造において、中敷き４０の中空窪み部４０２は中敷き４０の靴本底１０に対応する外足弓部１１、かかと部１２、足指部１５、及び中足骨部１６等の領域だけに形成されるとは限らず、図１７に示すように、靴本底１０に対応する外足弓部１１、かかと部１２、内足指部１３、外足指部１４、内中足骨部１７及び外中足骨部１８等の領域にも形成することができる。又は、中敷き４０の中空窪み部４０２は必要に応じて前述の各領域のうちの一つだけに形成してもよい。
【００３９】
又は、図１８Ａに示すように、中敷き４０は、複数の中空隆起部４０４を有してもよく、且つそれぞれ靴本底１０に対応する外足弓部１１、かかと部１２、内足指部１３、外足指部１４、足指部１５、中足骨部１６、内中足骨部１７及び外中足骨部１８などの領域に位置することもでる。中空隆起部４０４は、中敷き上面４０１に一体的に隆起して形成される外突表面４０４ａ及び外突表面４０４ａに対応し且つ中敷き底面４０３に一体的に陥入して形成される内窪み表面４０４ｂを有する。
【００４０】
実際において、図１８Ｂに示すように、中敷き４０は中空窪み部４０２及び中空隆起部４０４を同時に有する場合、中空窪み部４０２は靴本底１０に対応する中足骨部１６、内中足骨部１７、外中足骨部１８、足指部１５、内足指部１３及び外足指部１４等の領域に位置することが好ましい。そして、中空隆起部４０４は靴本底１０に対応するかかと部１２及び外足弓部１１などの領域に位置することが好ましい。
【００４１】
この他、中敷き４０の中空窪み部４０２と中空隆起部４０４の耐久性を考慮すると、図１８Ｃに示すように、中空窪み部４０２の内窪み表面４０２ａは補強突出４０５を更に有することができ、中空隆起部４０４の外突表面４０４ａは補強窪み４０７を更に有することができる。ここで、中敷き４０が靴本底１０の上面１０１に設置される場合、中敷き４０の形態は靴本底１０の接触部１０２の形態と相互に一致するか又は相互に対称である。
【００４２】
（第五実施例）
続いて、図１９を参照すると、本発明の第三及び第四実施例の創作の本質に基づいて、本発明の第五実施例の靴１は、靴本底１０と、靴本底１０の上面１０１に設置される靴中底３０と、靴中底３０の上面３０１に設置される中敷き４０とを有する。靴本底１０、靴中底３０及び中敷き４０はいずれも前述した実施例と同様であるので、ここでは詳細に述べない。
特に、前述のように、靴本底１０の接触部１０２及び靴中底３０の接触部３０２の形態は、上面窪み１０２ａ、３０２ａ又は上面突出１０２ｂ、３０２ｂであってもよく、そして、中敷き４０は中空窪み部４０２又は中空隆起部４０４であってもよい。よって、中敷き４０が靴中底３０の上面３０１に設置され、且つ靴中底３０が靴本底１０の上面１０１に設置される場合、靴中底３０の接触部３０２の形態、及び中敷き４０の中空窪み部／隆起部４０２、４０４の配置は、靴本底１０の接触部１０２の形態と相互に一致するか又は相互に対称である。
【００４３】
例えば、いわゆる「相互に一致する」とは、図１９に示すように、靴本底１０の接触部１０２が上面窪み１０２ａである場合、靴中底３０の接触部３０２は上面窪み３０２ａであり、中敷き４０は中空窪み部４０２を配置してもよい。
そして、いわゆる「相互に対称である」とは、図２２に示すように、靴本底１０の接触部１０２が上面窪み１０２ａである場合、靴中底３０の接触部３０２は、中空状の上面突出３０２ｂ’であり、中敷き４０は中空隆起部４０４を配置してもよい。この他、特に、靴本底１０、靴中底３０及び中敷き４０の態様は、図２２に示されるような場合、靴中底３０の内窪み表面３０３ｂは靴本底１０の上面窪み１０２ａと収容空間Ｓを形成して、吸振体７０又は弾性体７０を設置することにより、本発明の靴の吸振又は弾力機能を向上させる。
【００４４】
（第六実施例）
更に、図２０Ａ、Ｂ及び図２１に示されるように、本発明の第六実施例の靴は、靴本底５０及びクッション体（本実施例において薄層６０である）を含む。本実施例において、靴本底５０は、ハイヒールの靴本底である。
図２０Ａに示すように、接触部は靴本底５０の上面５０１から内側に陥入した上面窪み５０２であり、且つ、それぞれかかと部１２、内足指部１３、外足指部１４及び内中足骨部１７、外中足骨部１８に位置する。
又は、図２０Ｂに示すように、上面窪み５０２はそれぞれ、かかと部１２、足指部１５及び中足骨部１６に位置する。薄層６０は、透気性綿布材質又はその他ハイヒールの内面に常用する材質であってもよい。
【００４５】
図２１に示すように、着用者の足裏が薄層６０と靴本底５０を踏むとき、薄層６０が靴本底５０の上面窪み５０２に対応する領域は上面窪み５０２に陥入する。このように、着用者の足裏の負荷部位はこれら上面窪み５０２内に陥入して、足裏が靴本底５０に対して滑動することを防止し、足裏の踏み付けの安定性を向上させる。
【００４６】
（その他の実施例）
この他、靴本底の重量を削減することにより、靴の重量を軽減することを考慮すると、靴本底１０’は、図２３に示すように上面窪み１０２ａの位置に複数の凹溝１０７を更に設けることができる。
【００４７】
更に、図２４に示すものは本発明の靴本底の別の態様である。つまり、本発明の靴がスリッパである場合、靴本底１０の内足弓部１９は靴本底１０の上面１０１から外側に突出した突起８０を有し、突起８０は貼り付け、又は一体形成の方法で靴本底１０と組み合わすことができる。このように、着用者の足裏の内足弓は突起８０に支持されることにより、足裏の踏み付け時の安定性を向上させる。当然、突起８０は前述の接触部１０２と同時に存在することも可能である。
続けて図２５に示すものと図２４の構造との差異は、図２５のスリッパがコスト削減のために、靴本底１０の底部が相対する内足弓部１９を中空隆起状に一体的に押し圧形成している点であり、このようにしてもよい。
【００４８】
最後に、図２６に示すものは、本発明の靴本底又は中敷き（靴中底、中敷き又はその他薄層の別の態様を含むが、これらに制限されない）である。それと上述の実施例に開示された環状接触部（即ちこれら接触部のいずれもが靴本底又は中敷きの周囲内部に位置する）との差異は、本実施例の接触部（靴本底又はクッション体の上面から内側に陥入した上面窪み、又は靴本底又はクッション体の上面から外側に突出した上面突出）が開口を有して外部の開放式接触部に連通することである。
特に、本実施例の靴本底又はクッション体の開放式接触部の数量は自由に変更して組み合わせることができ、図２６に示されるものに制限されない。つまり、上記実施例が開示したかかと部、内足弓部、外足弓部、中足骨部、内中足骨部、外中足骨部、足指部、内足指部及び外足指部等の部位に少なくとも一の開放式接触部を設けることも、本実施例と同様の範囲の応用に属する。
【００４９】
最後に、特に、以上の実施例は本発明を詳細に説明したものに過ぎず、本発明の靴の態様はこれに制限されるものではない。つまり、上記実施例における靴本底、クッション体、靴中底、中敷き又は薄層又は類似物品の上面窪み又は突出は、いずれも必要に応じて設定できる。本技術分野において通常の知識を有する者による本発明の本質に反しない各種変化、装飾、置換は、いずれも本発明の技術的範囲に含まれる。
【００５０】
以上より、本発明が提供する人間工学に基づく靴は、人が歩行時に足裏が地面を踏みつける動作に応じて、窪みを靴本底又は靴中底又は中敷きの力を受ける部位に設置する。よって、着用者の足裏が地面を踏む負荷部位を前記上面窪み内に陥入させ、足裏が靴本底又は靴中底又は中敷きに対して滑動せず、足裏が踏みつける際の安定性を高め、着用者がよりスムーズに、且つ快適に歩行できる。本発明の靴の靴本底に底面窪みを設ける場合、本発明の靴は緩衝機能を更に有する。
この他、本発明の靴の靴本底は、相互に対称な上面溝部及び底面溝部を更に設置でき、靴本底の湾曲度を向上させ、着用者がより一層スムーズに且つ快適に歩行できる。
更に、本発明の靴の靴本底は内足弓部の突起を更に有することもでき、着用者の足裏の内足弓を安定して支持することにより、足裏で地面を踏むときの安定性を向上させる。
【符号の説明】
【００５１】
１    ：靴
１０、１０’：靴本底
１０１  ：上面
１０２  ：接触部
１０２ａ：上面窪み
１０２ｂ：上面突出
１０３  ：底面
１０４  ：底面窪み
１０５ａ、１０５ａ’、１０５ｂ、１０５ｃ、１０５ｄ：上面溝部
１０６、１０６’：底面溝部
１０７  ：凹溝
１１    ：外足弓部
１２    ：かかと部
１３    ：内足指部
１４    ：外足指部
１５    ：足指部
１６    ：中足骨部
１７    ：内中足骨部
１８    ：外中足骨部
１９    ：内足弓部
２０    ：靴本底
２０１  ：上面
２０３  ：上面溝部
２０５  ：底面
２０７  ：面溝部
２０７ａ：第一底面溝部
２０７ｂ：第二底面溝部
２０７ｃ：第三底面溝部
２０７ｄ：第四底面溝部
３０    ：靴中底
３０１  ：上面
３０２  ：接触部
３０２ａ：上面窪み
３０２ｂ，３０２ｂ’：上面突出
３０３ａ：外突表面
３０３ｂ：内窪み表面
３０４  ：底面
４０    ：中敷き
４０１  ：上面
４０２  ：中空窪み部
４０２ａ：内窪み表面
４０２ｂ：外突表面
４０４  ：中空隆起部
４０４ａ：外突表面
４０４ｂ：内窪み表面
４０５  ：補強突出
４０７  ：補強窪み
５０    ：靴本底
５０１  ：上面
５０２  ：上面窪み
６０    ：薄層
７０    ：吸振体（弾性体）
８０    ：突出
Ｄ      ：基準面
Ｆ      ：負荷
Ｓ      ：収容空間
【図１】
0005785963.tif 000002
【図２】
0005785963.tif 000003
【図３】
0005785963.tif 000004
【図４】
0005785963.tif 000005
【図５】
0005785963.tif 000006
【図６Ａ】
0005785963.tif 000007
【図６Ｂ】
0005785963.tif 000008
【図６Ｃ】
0005785963.tif 000009
【図７Ａ】
0005785963.tif 000010
【図７Ｂ】
0005785963.tif 000011
【図８】
0005785963.tif 000012
【図９】
0005785963.tif 000013
【図１０】
0005785963.tif 000014
【図１１】
0005785963.tif 000015
【図１２】
0005785963.tif 000016
【図１３】
0005785963.tif 000017
【図１４Ａ】
0005785963.tif 000018
【図１４Ｂ】
0005785963.tif 000019
【図１４Ｃ】
0005785963.tif 000020
【図１５】
0005785963.tif 000021
【図１６】
0005785963.tif 000022
【図１７】
0005785963.tif 000023
【図１８Ａ】
0005785963.tif 000024
【図１８Ｂ】
0005785963.tif 000025
【図１８Ｃ】
0005785963.tif 000026
【図１９】
0005785963.tif 000027
【図２０Ａ】
0005785963.tif 000028
【図２０Ｂ】
0005785963.tif 000029
【図２１】
0005785963.tif 000030
【図２２】
0005785963.tif 000031
【図２３】
0005785963.tif 000032
【図２４】
0005785963.tif 000033
【図２５】
0005785963.tif 000034
【図２６】
0005785963.tif 000035